(57)【特許請求の範囲】
【請求項１】
ハウジング、前記ハウジングに設けられたワッシャーホース連結部、前方にワッシャー液を噴射するように前記ハウジングに設けられたノズル部を含む車両用ワッシャーノズルにおいて、
前記ハウジングの上部面に複数個の係止突起が形成された多段調節係止部が形成され、
前記ハウジングの下部面には、車体側に備えられたマウンティングホールの下部内側段を挿入することができる固定溝が形成され、
前記マウンティングホールに前記ワッシャーノズルが貫通挿入された状態、及び前記マウンティングホールの下部内側段が挿入された前記固定溝を中心として前記ワッシャーノズルが上下方向に回転されて角度調節された状態で、
前記多段調節係止部のうち選択された一つの係止突起によって車体側部分が係止されて固定されることで、ワッシャーノズルの調節された角度が保持できるようにし、
前記多段調節係止部は、前記ハウジングにおいて上方に突き出された後に前記ワッシャーノズルの前後方向に沿って長く延長された形状を有しながら、前記ハウジングとの連結部位を中心として上下方向に弾性変形が可能に形成され、
前記多段調節係止部の上部面に長さ方向に沿って決められた間隔で配置される前記複数個の係止突起が形成され、
前記車体が、フードインナーパネルであり、
前記フードインナーパネルのホールにノズルホルディングカバーが固定結合され、
前記マウンティングホールが前記ノズルホルディングカバーに形成されて備えられ、
前記ノズルホルディングカバーの上部に屈曲した形状のフックが形成され、前記フックの端部が前記多段調節係止部の前記係止突起に係止されることを特徴とする車両用ワッシャーノズル。
【請求項２】
前記ハウジングにおいて前記ノズル部の下側に前記ノズル部を通過する前記ワッシャー液を加熱するための発熱アセンブリーが設けられることを特徴とする請求項１に記載の車両用ワッシャーノズル。
【請求項３】
前記発熱アセンブリーは、
前記ハウジングにおいて前記ノズル部の下側に形成された挿入空間部内に位置し、ワイヤを介して電源が印加される場合に発熱作動する発熱体と、
前記発熱体と前記ノズル部との間に間隔を置いて配置される熱伝導体を含み、
前記挿入空間部には、前記発熱体と前記熱伝導体、前記ノズル部との間の空間に熱伝導性の充填物質が充填されていることを特徴とする請求項２に記載の車両用ワッシャーノズル。
【請求項４】
前記熱伝導性の充填物質は、エポキシであることを特徴とする請求項３に記載の車両用ワッシャーノズル。
【請求項５】
前記挿入空間部の下側と前側がそれぞれ前記ハウジングの下面部と前面部によって塞がれており、
前記発熱アセンブリーは、前記挿入空間部の側面部分をカバーしながら、前記挿入空間部を密閉するように前記ハウジングに固定される板状のカバー部をさらに含むことを特徴とする請求項３に記載の車両用ワッシャーノズル。
【請求項６】
前記ハウジングの下面部と前面部にそれぞれ突起が形成され、
前記カバー部には、前記突起が結合される結合ホールが形成され、
前記突起と前記結合ホールによって前記カバー部が前記ハウジングに固定されることを特徴とする請求項５に記載の車両用ワッシャーノズル。
【請求項７】
前記カバー部に、前記熱伝導体が一体に固定されることを特徴とする請求項５に記載の車両用ワッシャーノズル。
【請求項８】
前記カバー部に前記熱伝導体が固定されるフレーム部が一体に形成され、
前記フレーム部は、前記熱伝導体の縁部が嵌められて固定することができる四角枠型の構造物であることを特徴とする請求項７に記載の車両用ワッシャーノズル。
【請求項９】
前記カバー部に装着溝を備えた装着部が側方に突出形成され、前記装着部の前記装着溝に前記発熱体が装着された状態で支持されることを特徴とする請求項５に記載の車両用ワッシャーノズル。
【請求項１０】
前記ハウジングの下部側面には、前記挿入空間部に挿入されて前記発熱体に接続される前記ワイヤが差し込まれる溝が形成されたことを特徴とする請求項３に記載の車両用ワッシャーノズル。
【請求項１１】
前記固定溝は、前記ハウジングの前後長さ方向に対して横方向である前記ハウジングの左右幅方向に沿って長く形成されたことを特徴とする請求項１に記載の車両用ワッシャーノズル。
【発明の詳細な説明】
【技術分野】
【０００１】
本発明は、車両用ワッシャーノズルに係り、より詳しくはフードインナーパネルに角度調節が可能に設けられ、ワッシャー液の噴射方向及び着水位置を調節することができ、噴射されるワッシャー液の加熱が可能な非露出型の車両用ワッシャーノズルに関する。
【背景技術】
【０００２】
一般的に、車室内の前方には走行中に吹いてくる風を防ぎ、前方視野を確保するためのウインドシールド（ｗｉｎｄｓｈｉｅｌｄ）が設けられている。
このようなウインドシールドの表面は、埃のような異物によってよく汚染されるので、前方視野を充分に確保して安全運行を図るためには、ガラス面に付いた埃のような異物を取り除く必要がある。
ウインドシールドに付いた異物などを取り除くため、車両にはワイパー装置と共にワッシャー液の噴射のためのワッシャー液の噴射装置が備えられている。
したがって、運転者がウインドシールドを介して前方視野を充分に確保するため、運転席に設けられたスィッチを操作すると、スィッチの操作によってワッシャーポンプが作動し、このようなワッシャーポンプの作動によってワッシャー液リザーバ（ｒｅｓｅｒｖｏｉｒ）に貯留されていたワッシャー液がワッシャーノズルを介してウインドシールドに噴射される。
こうして噴射されたワッシャー液とワイパー作動によって運転の邪魔になる異物をウインドシールドのガラス面から取り除くことで、運転者にとって前方視野が確保された状態で安全な走行ができる。
【０００３】
通常、車両用に適するワッシャーノズルは、少ない量のワッシャー液を短時間で広い範囲に噴射して洗浄することができる性能を要し、最近ではスプレー式ワッシャーノズルを使用して洗浄範囲の拡大を図っている。
スプレー式ワッシャーノズルは、韓国登録特許登録番号第１０−０９０６６３９（２００９．７．１．）、韓国公開特許第１０−２００９−００４７９６３号（２００９．７．１．）に開示されている。
一方、ワッシャーノズルをフードインナーパネルのホールに嵌めて固定する非露出型スプレー式ワッシャーノズルも提示されており、フードインナーパネルに固定する非露出型の場合、車両のフードの下側でウインドシールドガラスに向けてワッシャー液を噴射するようになっている。
このようなワッシャーノズルは、車両の外観上に見えないフードインナーパネルに設けられるので、ワッシャーノズル自体が非露出型構造となり、それにより、車両フードの美観を良くすることができる。
【０００４】
このような従来の非露出型ワッシャーノズルは、ハウジングの上部に形成した係止突起のテンション（ｔｅｎｓｉｏｎ）を用いてフードインナーパネルのホールに固定することによりワッシャーノズルの角度及びワッシャー液の噴射方向が固定されている。
すなわち、フードインナーパネルのホールにワッシャーノズルを貫通挿入した後、ノズル上部の係止突起と反対側のノズルの下部がそれぞれ前記ホールの上側と下面部分に単純な係止方式で固定されるだけで、ノズル角度を多様に調節することができる構造は備えられてはいない。
したがって、ワッシャー液の噴射方向が固定されてワッシャー液の着水点に対する調整が不可能である。
また、従来のワッシャーノズルは、ワッシャー液を加熱することができる発熱部を備えていないため、低温地域や冬期において低温のワッシャー液が目標とする着水点に到逹できない現象、例えば、ワッシャー液が目標位置より垂れ下がって噴射される現象が生じている。
【先行技術文献】
【特許文献】
【０００５】
【特許文献１】韓国登録特許登録番号第１０−０９０６６３９号公報
【特許文献２】韓国公開特許第１０−２００９−００４７９６３号公報
【発明の概要】
【発明が解決しようとする課題】
【０００６】
本発明は、前記のような問題点を解決するためになされたものであって、フードインナーパネルに角度調節が可能に設けられ、ワッシャー液の噴射方向及び着水位置を調節することができ、噴射されるワッシャー液の加熱が可能な非露出型ワッシャーノズルを提供することに、その目的がある。
【課題を解決するための手段】
【０００７】
前記目的を達成するための本発明は、ハウジング、前記ハウジングに設けられたワッシャーホース連結部、前方にワッシャー液を噴射するように前記ハウジングに設けられたノズル部を含む車両用ワッシャーノズルにおいて、前記ハウジングの上部面に複数個の係止突起が形成された多段調節係止部が形成され、前記ハウジングの下部面には車体側に備えられたマウンティングホールの下部内側段を挿入することができる固定溝が形成され、前記マウンティングホールにワッシャーノズルが貫通挿入された状態、及び前記マウンティングホールの下部内側段が挿入された前記固定溝を中心としてワッシャーノズルが上下方向に回転されて角度調節された状態で、前記多段調節係止部のうち選択された一つの係止突起によって車体側部分が係止されて固定されることでワッシャーノズルの調節された角度が保持できるようにしたことを特徴とする。
【０００８】
、前記多段調節係止部は、ハウジングにおいて上方に突き出された後、ワッシャーノズルの前後方向に沿って長く延長された形状を有しながら、ハウジングとの連結部位を中心として上下方向に弾性変形が可能に形成され、前記多段調節係止部の上部面に長さ方向に沿って決められた間隔でに配置される複数個の係止突起が形成されたことを特徴とする。
【０００９】
前記車体がフードインナーパネルであり、前記フードインナーパネルのホールにノズルホルディングカバーが固定され、前記マウンティングホールがノズルホルディングカバーに形成されて備えられたことを特徴とする。
【００１０】
前記ノズルホルディングカバーの上部に屈曲した形状のフックが形成され、前記フックの端部が前記多段調節係止部の係止突起に係止されることを特徴とする。
【００１１】
前記ハウジングにおいてノズル部の下側にノズル部を通過するワッシャー液を加熱するための発熱アセンブリーが設けられることを特徴とする。
【００１２】
前記発熱アセンブリーは、前記ハウジングにおいてノズル部の下側に形成された挿入空間部内に位置し、ワイヤを介して電源が印加される場合に発熱作動する発熱体と、前記発熱体とノズル部との間に間隔を置いて配置される熱伝導体を含み、前記挿入空間部には発熱体と熱伝導体、ノズル部との間の空間に熱伝導性の充填物質が充填されていることを特徴とする。
【００１３】
前記熱伝導性の充填物質は、エポキシであることを特徴とする。
【００１４】
前記挿入空間部の下側と前側がそれぞれハウジングの下面部と前面部によって塞がれており、前記発熱アセンブリーは、前記挿入空間部の側面部分をカバーしながら、挿入空間部を密閉するようにハウジングに固定される板状のカバー部をさらに含むことを特徴とする。
【００１５】
前記ハウジングの下面部と前面部にそれぞれ突起が形成され、前記カバー部には前記突起が結合される結合ホールが形成され、前記突起と結合ホールによってカバー部がハウジングに固定されることを特徴とする。
【００１６】
前記カバー部に熱伝導体が一体に固定されることを特徴とする。
【００１７】
前記カバー部に熱伝導体が結合されるフレーム部が一体形成され、前記フレーム部は熱伝導体の縁部が嵌められて固定することができる四角枠型の構造物であることを特徴とする。
【００１８】
前記カバー部に装着装着溝を備えた装着装着部が側方に突出形成され、前記装着装着部の装着装着溝に発熱体が装着装着された状態で支持されることを特徴とする。
【００１９】
前記ハウジングの下部側面には、挿入空間部に挿入されて発熱体に接続されるワイヤが差し込まれる溝が形成されたことを特徴とする。
【００２０】
前記固定溝は、ハウジングの前後長さ方向に対して横方向であるハウジングの左右幅方向に沿って長く形成されたことを特徴とする。
【発明の効果】
【００２１】
本発明の車両用ワッシャーノズルによれば、車体パネル側に係止される複数個の係止突起を有する多段調節係止部が備えられることにより、選択された係止突起を用いてワッシャーノズルを所望の角度に調節した後に固定することができる、ワッシャーノズルの角度調節によってワッシャー液の噴射方向及び着水位置をユーザーの所望の方向及び位置に調節することができる。
また、最適の発熱性能を発揮することができる発熱アセンブリーを内蔵することで、噴射されるワッシャー液の優れた加熱性能及び加熱効率を提供することができるる。
【図面の簡単な説明】
【００２２】
【図１】従来の非露出型ワッシャーノズルの装着状態を示す断面図である。
【図２】本発明の実施例によるワッシャーノズルからワッシャー液が噴射される状態を示す斜視図である。
【図３】本発明の実施例によるワッシャーノズルの斜視図である。
【図４】本発明の実施例によるワッシャーノズルの側面図である。
【図５】本発明の実施例によるワッシャーノズルの側面図である。
【図６】本発明の実施例によるワッシャーノズルの分解斜視図である。
【図７】本発明の実施例によるワッシャーノズルにおいて発熱アセンブリーに充填物質が充填された状態を示す断面図である。
【発明を実施するための形態】
【００２３】
以下、添付した図面を参照して本発明の実施例について詳細に説明する。
本発明は、フードインナーパネルに設けられ、車両フードの下側で後方のウインドシールドガラスに向けてワッシャー液を噴射するように設けられる非露出型ワッシャーノズルに関するもので、
車体、すなわち、車両フードに角度調節が可能に設けられ、ワッシャー液の噴射方向及び着水位置をユーザーの所望の通りに調節することができる角度調節型ワッシャーノズルである。
また、、ワッシャー液の優れた加熱性能を有する発熱部（後述する発熱アセンブリーである）を備え、噴射されるワッシャー液の加熱が可能なワッシャーノズルである。
【００２４】
以下、本発明の理解のため、図１を参照してフードインナーパネルに装着される従来の非露出型ワッシャーノズルの装着状態について説明する。
従来の非露出型ワッシャーノズルは、図１に示す通り、アウターパネル（１）とインナーパネル（２）を含んで構成される車両のフードにワッシャーノズル（３）が装着され、ワッシャーノズル（３）が外観上に露出されない位置、すなわち、インナーパネル（２）のホール（４）にワッシャーノズル（３）が貫通挿入されて装着される。
即ち、フードアウターパネル（１）によって覆われてワッシャーノズル（３）が見えなくなる非露出型構造であり、ワッシャー液がフードの下側で車両前後方向を基準としてワッシャーノズルの後方に位置するウインドシールドガラス（未図示）に向けて噴射される。
従来のワッシャーノズル（３）は、フードインナーパネル（２）のホール（４）で角度調節、特に上下方向の角度調節のための如何なる構造も備えておらず、フードインナーパネル（２）に決められた角度でのみ設けられて固定することができる。
【００２５】
従来のワッシャーノズル（３）は、このようにワッシャーノズル（３）の設置角度を調節することができないため、ワッシャー液の噴射角度及び噴射方向をユーザーの所望の角度及び方向に調節することができず、設置角度によってワッシャー液の着水位置が固定される。
このような問題点を解消するため、本発明のワッシャーノズルは、ユーザーがフードインナーパネルにおける設置角度を多段階に調節できるようにする多段式角度調節構造を備えている。
図２は、本発明の実施例による非露出型ワッシャーノズルにおいてワッシャー液が噴射される状態を示す斜視図である。
図示したように、本発明の実施例による非露出型ワッシャーノズル（１００）は、フードの下側（１：フードアウターパネル下側）に設けられ、ウインドシールドガラス（５）に向けてワッシャー液を噴射する。
図３は、本発明の実施例によるワッシャーノズルの斜視図であり、図４と図５は本発明の実施例によるワッシャーノズルの側面図である。
【００２６】
図４において、図面符号２は、フードインナーパネルを示し、図面符号１０は、フードインナーパネルに固定されたノズルホルディングカバーを示す。
図５では、フードインナーパネルとノズルホルディングカバーを図示せず、発熱アセンブリー（図４で図面符号１４０である）の内部構成が見えるように、発熱アセンブリーの外壁を形成するカバー部（図４で図面符号１４１である）を透明に示している。
また、図６は、本発明の実施例によるワッシャーノズルの分解斜視図であり、図７は、本発明の実施例によるワッシャーノズルにおいて発熱アセンブリーに充填物質が充填された状態を示す断面図である。
まず、ワッシャーノズル（１００）は、ハウジング（１１０）、ハウジング（１１０）の内部に洗浄液を供給するようにハウジング（１１０）の後段部に結合されるニップル（ｎｉｐｐｌｅ）（１２０）、ハウジング（１１０）の内部に設けられるチェックバルブ（未図示）、そしてハウジング（１１０）の内部にワッシャー液を噴射するように組立設置されるノズルチップ（１３０）を含む。
【００２７】
このような構成は、従来の非露出型スプレー式ワッシャーノズル（１００）にも見られる構成であって、ニップル（１２０）はワッシャーホース（未図示）が連結されるワッシャーホース連結部であり、ワッシャーポンプによってワッシャー液リザーバに貯留されていたワッシャー液がワッシャーホースを介して圧送されると、圧送されたワッシャー液がニップル（１２０）を介してハウジング（１１０）の内部に供給される。
ハウジング（１１０）の内部に供給されたワッシャー液は、ハウジングの内部流路に沿ってワッシャーノズル（１００）のノズル部、すなわち、ノズルチップ（１３０）に供給され、この時にワッシャー液がハウジング（１１０）の内部流路に設けられたチェックバルブを通過してノズルチップ（１３０）に供給される。
ここで、チェックバルブは、ワッシャー液の圧力保持のためのものである。
【００２８】
前記ノズルチップ（１３０）は、ワッシャー液スプレー機能を具現するためのものであり、ワッシャー液が通過する内部流路、及びワッシャー液が噴射されるノズル出口（１３１）を有する。
ノズルチップ（１３０）では、ワッシャー液が内部流路を通過する間、スプレー噴射のためのワッシャー液の流動、すなわち、ノズル出口（１３１）を介して広い角度で噴射できるようにするワッシャー液の流動を生じさせる。
これにより、ワッシャー液は、ノズルチップ（１３０）の内部流路を通過してノズル出口（１３１）を介して広い角度で噴射することができ、この時に噴射されたワッシャー液がウインドシールドガラスに着水されて異物除去のための洗浄液として使用される。
一方、本発明の実施例によるワッシャーノズル（１００）は、車体での設置角度、より詳細には、フードインナーパネル（２）での設置角度を多段階に調節できるようにする角度調節構造を備えている。以下、これについて説明する。
【００２９】
まず、角度調節構造について説明する。ハウジング（１１０）の上部面には上方に突き出されて前方に（すなわち、ワッシャーノズルの長さ方向に）長く延長された形状を有する多段調節係止部（１１１）が形成され、この時に多段調節係止部（１１１）は、ハウジング（１１０）との連結部位を中心として上下方向に弾性変形が可能な板状の構造物に形成される。
ここで、前方とは、ワッシャー液がノズルチップ（１３０）のノズル出口（１３１）から前方に噴射されてウインドシールドガラスに着水されるとき、ワッシャー液の噴射方向を基準とする前方を意味する。
、多段調節係止部は、ハウジング（１１０）において車両の前後方向を基準として、その後方に長く延長形成された形状を有する。
また、多段調節係止部（１１１）の上部面には、長さ方向（前後方向）に沿って決められた間隔で配置される複数個の係止突起（１１２）が形成される。
【００３０】
ハウジング（１１０）の下部面には、ハウジングの前後長さ方向に対して横方向であるハウジングの左右幅方向に沿う固定溝（１１３）が長く形成される。固定溝（１１３）は、ワッシャーノズル（１００）が、ノズルホルディングカバー（１０）において上下方向に回転して角度調節されるときに、ワッシャーノズル（１００）の回転中心となる部分である。
固定溝（１１３）は、ハウジング（１１０）の上側に位置する多段調節係止部（１１１）の係止突起（１１２）の位置に比べて後方（ワッシャー液の噴射方向を基準とした後方）に位置するように形成される。
このような構造で、車体側のノズルホルディングカバー（１０）の上部が多段調節係止部（１１１）の複数個の係止突起（１１２）のうちいずれかに係止されるときに、ノズルホルディングカバー（１０）のマウンティングホール（１１）の下部内側段は固定溝（１１３）の内側にあらかじめ挿入されて結合された状態になる。
【００３１】
このようにワッシャーノズルハウジング（１１０）の上側及び下側でノズルホルディングカバー（１０）が結合される部分は、固定溝（１１３）と多段調節係止部（１１１）の係止突起（１１２）となり、この時に固定溝（１１３）が係止突起（１１２）の位置に比べて後方に位置するので、フードインナーパネル（２）に固定されるノズルホルディングカバー（１０）は斜め方向に長く配置されている。
前記のように、本発明の実施例によるワッシャーノズル（１００）は、フードインナーパネルのホールに直接固定されることなく別の部材であるノズルホルディングカバー（１０）を介してフードインナーパネル（２）に固定設置されるが、ノズルホルディングカバー（１０）は決められた固定角度でフードインナーパネル（２）に設けられる。
ノズルホルディングカバー（１０）を使用することで、フードインナーパネル（２）の角度及び形状に関係なく同じ条件でワッシャーノズル（１００）の角度を調節できる構造を構成することが可能であり、角度調節のための形状の自由度を有することができる。
【００３２】
この時に、フードインナーパネル（２）に対するノズルホルディングカバー（１０）の角度が固定された状態で、ワッシャーノズル（１００）がノズルホルディングカバー（１０）において所望の角度に調節される。
すなわち、ノズルホルディングカバー（１０）のマウンティングホール（１１）の下部内側段が固定溝（１１３）に嵌められた状態で多段調節係止部（１１１）の係止突起（１１２）のうち選択された一つの係止突起にノズルホルディングカバー（１０）の上部が嵌められるようにすると、選択された係止突起（１１２）によってワッシャーノズル（１００）の角度が調節できる。
もちろん、前述のように所望の角度にワッシャーノズル（１００）を配置することができるようにノズルホルディングカバー（１０）に対してワッシャーノズル（１００）を固定溝（１１３）を中心として回転させた後、選択された係止突起（１１２）にノズルホルディングカバー（１０）を係止されると固定が完了する。
【００３３】
多段調節係止部（１１１）は、ワッシャーノズル（１００）のハウジング（１１０）で上下に弾性変形が可能であるため、多段調節係止部（１１１）の選択された係止突起（１１２）にノズルホルディングカバー（１０）が係止されるようにすると、多段調節係止部（１１１）のテンションによってワッシャーノズル（１００）がノズルホルディングカバー（１０）に安定的に固定できる。
一方、本発明の実施例によるワッシャーノズル（１００）は、ノズルチップ（１３０）を通過するワッシャー液を加熱するための発熱アセンブリー（１４０）を備え、発熱アセンブリー（１４０）はワッシャーノズル（１００）のハウジング（１１０）に固定される。
より詳細には、発熱アセンブリー（１４０）は、ワッシャーノズル（１００）のノズルチップ（１３０）の下側に位置するように設けられ、外部からワイヤ（１４６）を介して電源を印加されて発熱作動する発熱体（１４２）を含んで構成される。
【００３４】
この時に、発熱アセンブリー（１４０）が設けられる空間を確保するために、ワッシャーノズル（１００）のハウジング（１１０）においてノズルチップ（１３０）の下側には、図６に示すように、発熱体（１４２）と熱伝導体（１４３）を挿入することができる溝状の挿入空間部（１１４）が形成される。
挿入空間部（１１４）を基準として挿入空間部の上側にはノズルチップ（１３０）が位置し、挿入空間部（１１４）の下側と前側はそれぞれハウジング（１１０）の下面部（１１５）と前面部（１１６）によって塞がれた構造となっている。
また、発熱アセンブリー（１４０）は、挿入空間部（１１４）の側面部分をカバーしながら、挿入空間部（１１４）を密閉するようにハウジング（１１０）の側面に結合される板状のカバー部（１４１）と、挿入空間部（１１４）の内側に挿入されて発熱作動する発熱体（１４２）と、発熱体（１４２）の上側に位置されて発熱体（１４２）とノズルチップ（ノズル部）（１３０）との間で発熱体（１４２）の熱をノズルチップ（１３０）に伝達する熱伝導体（１４３）を含んで構成される。
【００３５】
カバー部（１４１）には、ハウジング（１１０）の下面部（１１５）と前面部（１１６）にそれぞれ形成された突起（１１７、１１８）が締まり嵌め方式で圧入結合される結合ホール（１４１ａ）が形成される。
そして、カバー部（１４１）が挿入空間部（１１４）の側面をカバーした状態になるように結合されるときに、ハウジング（１１０）の各突起（１１７、１１８）が当該結合ホール（１４１ａ）に締まり嵌め方式で結合されると、カバー部（１４１）を含む発熱アセンブリー（１４０）の全体をハウジング（１１０）に固定することができる。
また、カバー部（１４１）の上側には、熱伝導体（１４３）が固定されるフレーム部（１４１ｂ）が一体に形成されるが、熱伝導体（１４３）は、熱伝導度に優れている金属で製作される。
【００３６】
熱伝導体（１４３）は、発熱体（１４２）で発生した熱がノズルチップ（１３０）に正常に伝達できるように、発熱体（１４２）とノズルチップ（１３０）との間で発熱体（１４２）の上段とノズルチップ（１３０）の下段に近接するように配置される。
また、フレーム部（１４１ｂ）は、熱伝導体（１４３）の縁部を取り囲む四角枠型として配置される。
また、カバー部（１４１）においてフレーム部（１４１ｂ）の下側には、発熱体（１４２）を装着させることができる装着溝（１４５）を備えた装着部（１４４）が側方に突出形成され、装着部（１４４）に支持された状態になるように発熱体（１４２）が装着溝（１４５）に結合される。
発熱体（１４２）は、ＰＴＣや電流の印加時に抵抗によって発熱する金属素材で製作された面状発熱体である。
熱伝導体（１４３）と発熱体（１４２）とは、互いに決められた間隔で配置されるが、発熱アセンブリー（１４０）において発熱体（１４２）が下側に配置され、熱伝導体（１４３）は発熱体（１４２）の上側でノズルチップ（１３０）に近接し配置される。
【００３７】
また、発熱体（１４２）に電源を印加できるように、発熱体（１４２）の上側と下側にワイヤ（１４６）が接続され、発熱体（１４２）と接続された状態でワイヤ（１４６）の端部が挿入空間部（１１４）の内側に挿入されたときに、ワイヤ（１４６）はワッシャーノズル（１００）のハウジング（１１０）の下部側面に形成された溝（１４７）に差し込まれる。
このように発熱アセンブリー（１４０）は、カバー部（１４１）、熱伝導体（１４３）及び発熱体（１４２）が先に組立てられた状態でハウジング（１１０）に結合されるが、前述のように、カバー部（１４１）は、挿入空間部（１１４）の側面をカバーするようにハウジング（１１０）の下面部（１１５）と前面部（１１６）に結合され、熱伝導体（１４３）及び発熱体（１４２）はノズルチップ（１３０）の下側の挿入空間部（１１４）に挿入された状態で結合される。
【００３８】
また、発熱アセンブリー（１４０）がハウジング（１１０）に組立てられた状態で、挿入空間部（１１４）の内側には、図７に示すように熱伝導性を有する充填物質が埋められているが、充填物質としては熱伝導性エポキシが好ましい。
本発明の実施例において、ワイヤ（１４６）として、曲がりやすいフレキシブル（ｆｌｅｘｉｂｌｅ）なワイヤ（１４６）に代わり、発熱体（１４２）との接続が可能である程度曲がった形状を保持することができるワイヤ（１４６）を使用すると、発熱体（１４２）が装着部（１４４）の上に載せられた状態でエポキシが注入されるときに、発熱体（１４２）の位置を安定的に保持することができる。
すなわち、エポキシ注入時にエポキシによって発熱体（１４２）が押されて発熱体（１４２）の位置を保証できないという問題を解決できるものであり、ハウジング（１１０）の挿入空間部（１１４）の内に発熱体（１４２）を決められた所に位置させることができるので、エポキシの注入時に発熱体（１４２）が動いて加熱効率が下がるという問題を解決することができ、発熱体の固定及び熱伝導性、加熱性能をいずれも向上させることができる。
【００３９】
また、熱伝導体（１４３）によって熱伝導率を向上させることができるので、発熱体（１４２）の目標発熱温度を下げることができ、耐熱温度の低いエポキシの使用が可能である。これにより、過剰な発熱による火事及び変形の防止ができ、さらに低価型エポキシの使用が可能になるなどの付随的な効果もある。
これに併せて、ワイヤ（１４６）の終端、ワイヤ（１４６）の終端に接続された発熱体（１４２）、熱伝導体（１４３）、カバー部（１４１）を一体型で先に組立した後、ハウジング（１１０）にカバー部（１４１）を締結するだけで簡単にワッシャーノズル（１００）の発熱部を構成することが可能であるため、作業性を向上させることができ、発熱体（１４２）及び熱伝導体（１４３）をハウジング（１１０）の挿入空間部（１１４）に挿入した後におこなうエポキシの注入も容易になる。
【００４０】
エポキシは、ワイヤ（１４６）がハウジング（１１０）の溝（１４７）に差し込まれた状態で挿入空間部（１１４）に入れられる方向に側面注入することが可能である。
一方、ノズルホルディングカバー（１０）は、ワッシャーノズル（１００）が貫通するように挿入されるマウンティングホール（１１）を有し、車体パネルのホール、すなわち、フードインナーパネル（２）のホールに嵌めて固定される。
ノズルホルディングカバー（１０）の上部が多段調節係止部（１１１）の係止突起（１１２）に係止されるようになることで、ワッシャーノズル（１００）の固定ができるようになっているが、好ましくはノズルホルディングカバー（１０）の上部に屈曲した形状のフック（１２）を形成し、このフック（１２）の端部が係止突起（１１２）に係止されるようにすることが可能である。
【００４１】
結局、多段調節係止部（１１１）を下方に押し付けた状態で、ノズルホルディングカバー（１０）のマウンティングホール（１１）にワッシャーノズル（１００）を貫通挿入した後、マウンティングホール（１１）の下部内側段をハウジング（１１０）の固定溝（１１３）に嵌めて、引き続き、フック（１２）の端部が多段調節係止部（１１１）の係止突起（１１２）に係止されるように多段調節係止部（１１１）の押し付けを解除すると、ワッシャーノズル（１００）の装着を完了することができる。
この時、固定溝（１１３）を回転中心としたワッシャーノズル（１００）の上下方向角度が所望の角度になるように多段調節係止部（１１１）の係止突起（１１２）のうち一つを選択してフック（１２）の端部が係止されるようにする。
こうしてフック（１２）端部が多段調節係止部（１１１）の係止突起（１１２）に係止されるようになると、多段調節係止部（１１１）のテンションによってワッシャーノズル（１００）の固定状態を保持することができる。
【００４２】
また、ワッシャーノズル（１００）の角度を変更しようとする場合、多段調節係止部（１１１）を再び押し付けてフック（１２）による係止を解除した後、固定溝（１１３）を中心としてワッシャーノズル（１００）を所望の角度に回転させ、回転された角度を保持することができる係止突起（１１２）を再び選択して押し付けの解除と同時にフック（１２）端部が変更された係止突起（１１２）に係止されるようにする。
多段調節係止部（１１１）で複数個の係止突起（１１２）を形成すると、ノズル回転によって決められた角度ずつ多段式にワッシャーノズル（１００）の上下角度調節が可能になる。
また、ワッシャーノズル（１００）の多段式上下角度調節ができるように段数別に係止突起（１１２）の高さを変えることができるが、この時に、図５に示すように多段調節係止部（１１１）の先端部側に近く位置する係止突起（１１２）の高さを低くすることが可能である。
【００４３】
以上、本発明に関する好適な実施形態を説明したが、本発明は前記実施形態に限定されるものではなく、本発明の属する技術分野を逸脱しない範囲でのすべての変更が含まれる。
【符号の説明】
【００４４】
１：フードアウターパネル
２：フードインナーパネル
３：ワッシャーノズル
４：ホール
５：ウインドシールドガラス
１０：ノズルホルディングカバー
１１：マウンティングホール
１２：フック
１００：ワッシャーノズル
１１０：ハウジング
１１１：多段調節係止部
１１２：係止突起
１１３：固定溝
１１４：挿入空間部
１１５：下面部
１１６：前面部
１１７：１１８：突起
１２０：ニップル
１３０：ノズルチップ
１３１：ノズル出口
１４０：発熱アセンブリー
１４１：カバー部
１４１ａ：結合ホール
１４１ｂ：フレーム部
１４２：発熱体
１４３：熱伝導体
１４４：装着部
１４５：装着溝
１４６：ワイヤ
１４７：溝
【図１】
0006748506.tif 000002
【図２】
0006748506.tif 000003
【図３】
0006748506.tif 000004
【図４】
0006748506.tif 000005
【図５】
0006748506.tif 000006
【図６】
0006748506.tif 000007
【図７】
0006748506.tif 000008